(57)【要約】  【解決手段】  ヘッド本体、フェース板および強化板により構成される。ヘッド本体の正面にフェース板と結合することができ、さらにヘッド本体の周縁から後方へ向かって環状壁が形成される。強化板は一体成形になるようにフェース板の背面に緊密に結合されると共に、フェース板と環状壁の境界に形成された結合端縁を完全に被覆することができることにより、ヘッドの構造の強度を強化すると共に、打球の振動を吸収することができるように構成されている。  【効果】  フェース板の背面に熱圧または射出成形の方式により強化板を形成させ、強化板によりフェース板を支持でき、フェース板と環状壁の境界に形成された結合端縁を完全に被覆することにより、打球の振動を吸収すると共に応力の集中を減らすことができ、構造の強度、振動吸収の効果、打球の性能とヘッドの使用寿命を高めることができる。【選択図】  図１
2005131280.tif 000002
【特許請求の範囲】
【請求項１】
ヘッド本体（１０）、フェース板（１１）および強化板（１５）により構成されるゴルフクラブヘッドの構造であって、ヘッド本体（１０）は後方へ向かって環状壁（１２）が形成され、フェース板（１１）には正面と背面が形成され、上記正面は打球するのに用いられ、強化板（１５）は一体成形になるようにフェース板（１１）の背面に緊密に結合されると共に、フェース板（１１）と環状壁（１２）の境界に形成された結合端縁（１１１）を支持することができることにより、ヘッド（１）の構造の強度を高めることができることを特徴とするゴルフクラブヘッドの構造。
【請求項２】
強化板（１５）は熱圧成形、射出成形の方式により製成されることを特徴とする請求項１記載のゴルフクラブヘッドの構造。
【請求項３】
強化板（１５）は軽質材料により製成されることを特徴とする請求項１記載のゴルフクラブヘッドの構造。
【請求項４】
上記軽質材料はカーボン、樹脂、高分子化合材料、チタン合金、アルミ合金、軽質合金、ゴムから選ぶことができることを特徴とする請求項３記載のゴルフクラブヘッドの構造。
【請求項５】
強化板（１５）には他に後方へ向かって延伸部（１５１）が形成され、延伸部（１５１）は環状壁（１２）の内周壁に緊密に結合されることを特徴とする請求項１記載のゴルフクラブヘッドの構造。
【請求項６】
強化板（１５）には他に変形孔（１５２）が設けられ、変形孔（１５２）はフェース板（１１）の主な打撃ゾーンの背面の位置に対応するように設けられることを特徴とする請求項１記載のゴルフクラブヘッドの構造。
【請求項７】
強化板（１５）の延伸部（１５１）には他に複数個の凹欠部（１５３）が設けられることを特徴とする請求項５記載のゴルフクラブヘッドの構造。
【請求項８】
凹欠部（１５３）は半円形、半楕円形、三角形、方形、渦巻き形、水滴形に形成されることを特徴とする請求項７記載のゴルフクラブヘッドの構造。
【請求項９】
ヘッド本体（１０）の環状壁（１２）は後方へ向かって開口部（１２１）が形成され、開口部（１２１）から内径方向へ向かって延伸するように環状フランジ（１２２）が形成され、環状フランジ（１２２）により強化板（１５）と延伸部（１５１）が外へ向かって開口部（１２１）から離脱するのを避けることができることを特徴とする請求項５記載のゴルフクラブヘッドの構造。
【請求項１０】
フェース板（１１）は溶接、ろう付け、嵌設、圧着、螺設の方式によりヘッド本体（１０）に結合されることを特徴とする請求項１記載のゴルフクラブヘッドの構造。
【請求項１１】
フェース板（１１）は一体形成の方式によりヘッド本体（１０）に結合されることを特徴とする請求項１記載のゴルフクラブヘッドの構造。
【発明の詳細な説明】
【技術分野】
【０００１】
本発明は、ゴルフクラブヘッドの構造に関するもので、特にフェース板の背面に強化板が設けられることにより、構造の強度を増やすことができるゴルフクラブヘッドの構造に係るものである。
【背景技術】
【０００２】
従来のゴルフクラブヘッドの構造としては、図１５、１６に示すように、金属材質によりヘッド１が製成され、ヘッド１にはヘッド本体１０、フェース板１１、環状壁１２、ネック１３および振動吸収片１４が含まれる。フェース板１１はヘッド本体１０の正面に設けられ、フェース板１１は打球するのにもちいられる。環状壁１２はヘッド本体１０の周縁から後方へ延伸するように形成され、環状壁１２はヘッド本体１０の背面において囲むように開口部１２１が形成される。ネック１３はシャフト（図示せず）と結合するのに用いられる。振動吸収片１４はゴムまたはカーボンの材質により製成され、そして粘着層１４１を利用してフェース板１１の背面に粘着して結合することにより、打球時に生じた振動を吸収するようにとしたものがある。
【０００３】
また、従来のゴルフクラブヘッドの構造としては、金属製ヘッド本体のフェース部にその周縁部を残して貫通孔を形成し、ヘッド本体より比重の小さな高弾性材料からなるフェースプレートを、該当貫通孔の周縁に設けた嵌着凹部で支持してフェース部に取り付けると共に、フェースプレートの裏面側に、フェースプレートより弾性の小さい材料からなる振動吸収材料をヘッド本体と離間させて取り付けたようにとしたものがある（例えば、特許文献１を参照）。
【特許文献１】日本国特開平８−１６４２２９号
【発明の開示】
【発明が解決しようとする課題】
【０００４】
上記のような従来のゴルフクラブヘッドの構造においては、図１６に示すように、フェース板１１は溶接、ろう付け、嵌設または圧着などの方式によりヘッド本体１０のフェース板結合部１０１に結合された時、フェース板１１とヘッド本体１０との境界には結合端縁１１１が形成され、例えば溶接路、ろう付けの溢材、嵌合位置または圧着位置である。打球時において、打球時に生じた振動により結合端縁１１１の付近では応力集中の現象が生じる。もし結合端縁１１１において上記応力集中を長期的に受けると、結合端縁において亀裂が生じるかもしれず、そしてヘッド１の構造の強度に影響を及ぼしてしまう。上記従来のヘッド１には振動吸収片１４が設けられているが、振動吸収片１４の粘着による結合の方式では振動吸収片１４とヘッド本体１０の間に隙間１４２が生じ易いという問題点は避けられない。その結果、実際に使用すると、振動吸収片１４は隙間１４２の阻隔により結合端縁１１１の集中応力を吸収することができず、さらに振動吸収片１４も粘着層１４１の阻隔によりフェース板１１の振動を吸収する効率は大幅に低減されるという問題点があった。さらに、フェース板１１の背面において支持の構造が欠けているため、フェース板１１は比較的大きい厚さを有するように形成しなければならず、それによりフェース板１１が長期的な打球による永久変形が生じるのを避けることができ、しかし、もしフェース板１１に過大な厚さを有するように形成されると、弾性による変形能力も必然的に低くなるため、打球の応力が球体への転移の効率に影響を及ぼしてしまい、さらにヘッド１に振動を与えてしまうかもしれないため、ヘッド１の打球の性能と打球の安定性に大幅に影響を及ぼしてしまうという問題点があった。
【０００５】
さらに、上記のような従来のゴルフクラブヘッドの構造においては、フェースプレートより弾性の小さい材料からなる振動吸収材料を接着剤又は溶着や圧着によってヘッド本体と離間させて取り付けることにより、打球時に生じた振動を吸収することができるが、振動吸収材料の粘着による結合の方式では振動吸収材料とヘッド本体の間に隙間が生じ易いという問題点は避けられないため、振動吸収材料は隙間の阻隔により結合端縁の集中応力を吸収することができず、さらに振動吸収材料は粘着層の阻隔によりフェース板の振動を吸収する効率は大幅に低減されるという問題点があった。このように、上記のような従来のゴルフクラブヘッドの構造をさらに改良しなければならない。
【０００６】
本発明はこのような問題点に鑑みて発明したものであって、その目的とするところは、フェース板の背面において熱圧または射出成形の方式により強化板を形成させ、強化板によりフェース板を支持することができると共に、フェース板と環状壁の境界に形成された結合端縁を完全に被覆することにより、打球の振動を吸収すると共に、応力の集中を減らすことができるため、構造の強度、振動吸収の効果、打球の性能とヘッドの使用寿命を高めることができるゴルフクラブヘッドの構造を提供しようとするものである。
【０００７】
本発明の第一の目的は、フェース板の背面において強化板を形成させ、強化板によりフェース板を支持することができることにより、フェース板の肉厚を減らすことができるため、構造の強度を増やすことができるゴルフクラブヘッドの構造を提供しようとするものである。
【０００８】
本発明の第二の目的は、強化板によりフェース板と環状壁の境界に形成された結合端縁を完全に被覆することにより、打球の振動を吸収すると共に、応力の集中を減らすことができるため、振動吸収の効果、打球の安定性と握り心地を増やすことができるゴルフクラブヘッドの構造を提供しようとするものである。
【０００９】
本発明の第三の目的は、フェース板の背面において強化板を形成させ、強化板には延伸部が形成され、延伸部は環状壁の内周壁に緊密に結合されることにより、打球の振動を吸収すると共に、フェース板を支持することができるため、振動吸収の効果、打球の安定性と握り心地を増やすことができるゴルフクラブヘッドの構造を提供しようとするものである。
【課題を解決するための手段】
【００１０】
上記目的を達成するために、本発明によるゴルフクラブヘッドの構造は、下記のようになるものである。すなわち、
ヘッド本体、フェース板および強化板により構成される。ヘッド本体は後方へ向かって環状壁が形成される。フェース板には正面と背面が形成され、上記正面は打球するのに用いられる。強化板は一体成形になるようにフェース板の背面に緊密に結合されると共に、フェース板と環状壁の境界に形成された結合端縁を支持することができることにより、ヘッドの構造の強度を高めることができる。
【００１１】
本発明によるゴルフクラブヘッドの構造は、強化板は熱圧成形、射出成形の方式により製成されることもできる。また、強化板は軽質材料により製成されることもできる。また、上記軽質材料はカーボン、樹脂、高分子化合材料、チタン合金、アルミ合金、軽質合金、ゴムから選ぶこともできる。また、強化板には他に後方へ向かって延伸部が形成され、延伸部は環状壁の内周壁に緊密に結合されることもできる。また、強化板には他に変形孔が設けられ、変形孔はフェース板の主な打撃ゾーンの背面の位置に対応するように設けられることもできる。また、強化板の延伸部には他に複数個の凹欠部が設けられることもできる。また、凹欠部は半円形、半楕円形、三角形、方形、渦巻き形、水滴形に形成されることもできる。また、ヘッド本体の環状壁は後方へ向かって開口部が形成され、開口部から内径方向へ向かって延伸するように環状フランジが形成され、環状フランジにより強化板と延伸部が外へ向かって開口部から離脱するのを避けることもできる。また、フェース板は溶接、ろう付け、嵌設、圧着、螺設の方式によりヘッド本体に結合されることもできる。また、フェース板は一体形成の方式によりヘッド本体に結合されることもできる。
【発明の効果】
【００１２】
本発明のゴルフクラブヘッドの構造によれば、フェース板の背面において強化板を形成させ、強化板によりフェース板を支持することができることにより、フェース板の肉厚を減らすことができるため、構造の強度を増やすことができるという利点がある。
【００１３】
本発明のゴルフクラブヘッドの構造によれば、強化板によりフェース板と環状壁の境界に形成された結合端縁を完全に被覆することにより、打球の振動を吸収すると共に、応力の集中を減らすことができるため、振動吸収の効果、打球の安定性と握り心地を増やすことができるという利点がある。
【００１４】
本発明のゴルフクラブヘッドの構造によれば、フェース板の背面において強化板を形成させ、強化板には延伸部が形成され、延伸部は環状壁の内周壁に緊密に結合されることにより、打球の振動を吸収すると共に、フェース板を支持することができるため、振動吸収の効果、打球の安定性と握り心地を増やすことができるという利点がある。
【発明を実施するための最良の形態】
【００１５】
本発明の実施の形態について、以下、図面を参照して説明する。
【００１６】
図１は本発明の実施例１のゴルフクラブヘッドの構造による組み立てられた状態の斜視図で、図２は本発明の実施例１のゴルフクラブヘッドの構造による組み立てられた状態の断面図で、図３は図２の局部の拡大図で、図４は本発明の実施例２のゴルフクラブヘッドの構造による組み立てられた状態の斜視図で、図５は本発明の実施例２のゴルフクラブヘッドの構造による組み立てられた状態の断面図で、図６は図５の局部の拡大図で、図７は本発明の実施例３のゴルフクラブヘッドの構造による組み立てられた状態の斜視図で、図８は本発明の実施例３のゴルフクラブヘッドの構造による組み立てられた状態の断面図で、図９は本発明の実施例４のゴルフクラブヘッドの構造による組み立てられた状態の斜視図で、図１０は本発明の実施例４のゴルフクラブヘッドの構造による組み立てられた状態の断面図で、図１１は本発明の実施例５のゴルフクラブヘッドの構造による組み立てられた状態の斜視図で、図１２は本発明の実施例５のゴルフクラブヘッドの構造による組み立てられた状態の断面図で、図１３は本発明の実施例６のゴルフクラブヘッドの構造による組み立てられた状態の斜視図で、図１４は本発明の実施例６のゴルフクラブヘッドの構造による組み立てられた状態の断面図である。
【実施例１】
【００１７】
図１、２、３を参照すると、本発明の実施例１のゴルフクラブヘッドの構造において金属、合金材質によりヘッド１が製成される。ヘッド１にはヘッド本体１０、フェース板１１、環状壁１２、ネック１３および強化板１５が含まれる。ヘッド本体１０の正面にはフェース板結合部１０１が形成されることにより、フェース板１１と結合することができる。フェース板１１は例えば嵌設、圧着、硬ろう付け、溶接、螺設などの方式によりヘッド本体１０のフェース板結合部１０１に結合することができ、または一体成形の方式によりヘッド本体１０に直接形成することができ、フェース板１１は打球するのに用いられることができる。環状壁１２はヘッド本体１０の周縁から後方へ延伸するように形成され、そして環状壁１２がヘッド本体１０の背面において囲むように開口部１２１が形成される。ネック１３はシャフト（図示せず）と結合するのに用いられる。強化板１５は開口部１２１の内部においてフェース板１１に緊密に貼り付けられ、そして強化板１５は全体として平板状に形成される。強化板１５は好ましくは熱圧または射出成形の方式により製成されるため、一体成形になるように直接フェース板１１の背面に緊密に結合される。強化板１５は軽質材料により製成され、例えばカーボン、樹脂（例えばエポキシ樹脂）、高分子化合材料、ゴムまたは軽質合金（例えばチタン合金、アルミ合金）およびその粘性複合粉末から選ぶことができる。また、ヘッド本体１０（フェース板１１を含まず）は使用上の需要性に応じて例えば精密鋳造、鋳造、機械加工、圧力鋳造、鍛造、射出成形などの方式により一体成形になるように製造したり、或いは分段接合の方式により一体になるように組み立てたりすることができる。
【００１８】
再び図３を参照すると、強化板１５は熱圧または射出成形の方式を利用したため、粘着剤を使用して粘着することなく強化板１５をフェース板１１の背面に完全かつ緊密に結合することができる。強化板１５によりフェース板１１とヘッド本体１０の境界に形成された結合端縁１１１（例えば溶接路、ろう付けの溢材、嵌合位置または圧着位置）を完全に被覆することにより、打球時において強化板１５により結合端縁１１１の集中応力を吸収することができるため、結合端縁１１１が長期に渡って集中応力を受けた影響により亀裂が生じるのを避けることができると共に、さらにフェース板１１とヘッド１との結合の関係を強化してヘッド１の使用寿命を延ばすことができる。また、打球時において強化板１５によりフェース板１１が生じた振動を直接吸収することができる。その結果、ヘッド１は強化板１５により強度が最高となる構造で振動を吸収する効果を有すると共に、ヘッド１の打球の安定性と握り心地をさらに高めることができる。
【００１９】
他に、強化板１５にもフェース板１１を支持する功能を有しており、それによりフェース板１１の肉厚を減らすことができるため、フェース板１１の推移（transition）性の弾性変形能力を高めることができ、さらにヘッド１の打球の性能（飛距離）を高めることができる。
【実施例２】
【００２０】
図４、５、６を参照すると、本発明の実施例２のゴルフクラブヘッドの構造が掲示される。本発明の実施例２のゴルフクラブヘッドの構造において金属、合金材質によりヘッド１が製成される。ヘッド１にはヘッド本体１０、フェース板１１、環状壁１２、ネック１３および強化板１５が含まれる。実施例１と比較し、実施例２においては強化板１５には後方へ向かって延伸するように延伸部１５１が形成されるため、強化板１５は全体として容器状になるように形成される。強化板１６と延伸部１５１は同様に熱圧または射出成形の方式により製成され、そして直接一体成形になるようにフェース板１１の背面と環状壁１２の内周壁に緊密に結合される。再び図３を参照すると、強化板１５と延伸部１５１は同様に粘着剤を使用して粘着することなくフェース板１１の背面と環状壁１２の内周壁に完全かつ緊密に結合することができる。また、打球時において強化板１５によりフェース板１１が生じた振動を直接吸収することができると同時に、延伸部１５１によりヘッド本体１０と環状壁１２が生じた振動を吸収することができる。その結果、ヘッド１は同様に強化板１５により強度が最高となる構造で振動を吸収する効果を有すると共に、ヘッド１の打球の安定性と握り心地をさらに高めることができる。
【実施例３】
【００２１】
図７、８を参照すると、本発明の実施例３のゴルフクラブヘッドの構造が掲示される。実施例１と比較し、実施例３においては強化板１５には変形孔１５２が形成され、変形孔１５２はフェース板１１の主な打撃ゾーンの背面の位置に対応するように設けられる。これにより、打球時において変形孔１５２によりフェース板１１の主な打撃ゾーンは最大な弾性による変形を有するように形成されるため、打球の飛距離を増やすことができる。また、強化板１５によりフェース板１１とヘッド本体１０の結合強度および打球時の振動の吸収を高めることができると共に、フェース板１１を支持することができる。
【実施例４】
【００２２】
図９、１０を参照すると、本発明の実施例４のゴルフクラブヘッドの構造が掲示される。実施例２と比較し、実施例４においては強化板１５には延伸部１５１が形成されるだけではなく、さらに強化板１５には変形孔１５２が形成される。変形孔１５２は同様にフェース板１１の主な打撃ゾーンの背面の位置に対応するように設けられる。これにより、打球時において変形孔１５２によりフェース板１１の主な打撃ゾーンは最大な弾性による変形を有するように形成されるため、打球の飛距離を増やすことができる。また、強化板１５と延伸部１５１によりフェース板１１とヘッド本体１０の結合強度および打球時の振動の吸収を高めることができると共に、フェース板１１を支持することができる。
【実施例５】
【００２３】
図１１、１２を参照すると、本発明の実施例５のゴルフクラブヘッドの構造が掲示される。実施例２と比較し、実施例５においては環状壁１２は開口部１２１の内側へ内径方向に向かって延伸するように環状フランジ１２２が形成される。これにより、熱圧または射出成形の方式により強化板１５と延伸部１５１が形成された時、延伸部１５１の末端は直接環状フランジ１２２の内側に緊密に結合されることができるため、環状フランジ１２２により強化板１５と延伸部１５１を制限することにより、強化板１５と延伸部１５１が外へ向かってヘッド１の開口部１２１から離脱するのを避けることができる。フェース板１１が打球の応力を受けた時、環状フランジ１２２は延伸部１５１に緊密に当接するように形成されるため、強化板１５によりフェース板１１を支持する効果を高めることができる。
【実施例６】
【００２４】
図１３、１４を参照すると、本発明の実施例６のゴルフクラブヘッドの構造が掲示される。実施例２と比較し、実施例６においてはヘッド１には環状フランジ１２２と変形孔１５２が形成されるだけではなく、さらに強化板１５の延伸部１５１には複数個の凹欠部１５３が形成される。凹欠部１５３は例えば適当な規格を有した半円形、半楕円形、三角形、方形、渦巻き形、水滴形などの幾何形状に形成されることができる。これにより、凹欠部１５３により上述の構造強化、振動吸収と支持効果に影響を及ぼさない状態で軽質材料の用量をさらに減らすことができると共に、ヘッド１の背面の外観的な視覚効果を相対的に増やすことができる。
【産業上の利用可能性】
【００２５】
上述の如く、従来のゴルフクラブヘッドの構造によれば、振動を完全かつ有効に吸収することができず、さらに結合端縁の集中応力を完全かつ有効に吸収することができないという問題点があったが、本発明のゴルフクラブヘッドの構造によれば、ヘッドの背面の開口部において熱圧または射出成形の方式により強化板１５と延伸部１５１を形成させることにより、ヘッドの構造の強度、振動吸収の効果、打球の性能、打球の安定性と握り心地を増やすことができる。
【００２６】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２７】
【図１】本発明の実施例１のゴルフクラブヘッドの構造による組み立てられた状態の斜視図である。
【図２】本発明の実施例１のゴルフクラブヘッドの構造による組み立てられた状態の断面図である。
【図３】図２の局部の拡大図である。
【図４】本発明の実施例２のゴルフクラブヘッドの構造による組み立てられた状態の斜視図である。
【図５】本発明の実施例２のゴルフクラブヘッドの構造による組み立てられた状態の断面図である。
【図６】図５の局部の拡大図である。
【図７】本発明の実施例３のゴルフクラブヘッドの構造による組み立てられた状態の斜視図である。
【図８】本発明の実施例３のゴルフクラブヘッドの構造による組み立てられた状態の断面図である。
【図９】本発明の実施例４のゴルフクラブヘッドの構造による組み立てられた状態の斜視図である。
【図１０】本発明の実施例４のゴルフクラブヘッドの構造による組み立てられた状態の断面図である。
【図１１】本発明の実施例５のゴルフクラブヘッドの構造による組み立てられた状態の斜視図である。
【図１２】本発明の実施例５のゴルフクラブヘッドの構造による組み立てられた状態の断面図である。
【図１３】本発明の実施例６のゴルフクラブヘッドの構造による組み立てられた状態の斜視図である。
【図１４】本発明の実施例６のゴルフクラブヘッドの構造による組み立てられた状態の断面図である。
【図１５】従来のゴルフクラブヘッドの構造による組み立てられた状態の断面図である。
【図１６】図１５の局部の拡大図である。
【符号の説明】
【００２８】
１    ヘッド                          １０    ヘッド本体
１０１    フェース板結合部                １１    フェース板
１１１    結合端縁                        １２    環状壁
１２０    収容室                        １２１    開口部
１２２    環状フランジ                    １３    ネック
１４    振動吸収片                    １４１    粘着層
１４２    隙間                            １５    強化板
１５１    延伸部                        １５２    変形孔
１５３    凹欠部
【図１】
2005131280.tif 000003
【図２】
2005131280.tif 000004
【図３】
2005131280.tif 000005
【図４】
2005131280.tif 000006
【図５】
2005131280.tif 000007
【図６】
2005131280.tif 000008
【図７】
2005131280.tif 000009
【図８】
2005131280.tif 000010
【図９】
2005131280.tif 000011
【図１０】
2005131280.tif 000012
【図１１】
2005131280.tif 000013
【図１２】
2005131280.tif 000014
【図１３】
2005131280.tif 000015
【図１４】
2005131280.tif 000016
【図１５】
2005131280.tif 000017
【図１６】
2005131280.tif 000018